(57)【要約】  リンゴ、ナシなどの果実を個別に包装する果実包装紙が提供される。パルプモールドである果実包装紙は、左蓋部１０が中第１接続部４０によって間蓋部２０に接続され、中間蓋部２０が第２接続部５０によって右蓋部３０に接続され、扇状の第１支持部６０が折れ曲がり、左蓋部の下端部１０と一体をなし、扇状の第２支持部７０が折れ曲がり、中間蓋部２０の下端部と一体をなし、扇状の第３支持部８０が折れ曲がり、右蓋部３０の下端部と一体をなし、左蓋部１０の内面１１、中間蓋部２０の内面２１及び右蓋部３０の内面３１が果実を包装するように外側に向かって膨出形成されることを特徴とする。【選択図】図１
2010504891.tif 000002
【特許請求の範囲】
【請求項１】
パルプモールドである果実包装紙であって、左蓋部（１０）が第１接続部（４０）によって中間蓋部（２０）に接続され、前記中間蓋部（２０）が第２接続部（５０）によって右蓋部（３０）に接続され、扇状の第１支持部６０が折れ曲がり、前記左蓋部（１０）の下端部と一体をなし、扇状の第２支持部（７０）が折れ曲がり、前記中間蓋部（２０）の下端部と一体をなし、扇状の第３支持部（８０）が折れ曲がり、前記右蓋部（３０）の下端部と一体をなし、さらに、前記左蓋部（１０）の内面（１１）、前記中間蓋部（２０）の内面（２１）及び前記右蓋部（３０）の内面（３１）が果実を包装するように外側に向かって膨出形成されることを特徴とする果実包装紙。
【請求項２】
前記左蓋部（１０）、前記中間蓋部（２０）及び前記右蓋部（３０）のそれぞれが、外面（１２），（２２），（３２）の中間を交差するように形成された水平補強リブ（１３），（２３），（３３）をそれぞれ含むことを特徴とする請求項１に係る果実包装紙。
【請求項３】
請求項１に係る果実包装紙であって、前記左蓋部（１０）は前記左蓋部（１０）の上端部からその下端部にかけて垂直方向に形成される一対の垂直補強リブ（１４），（１５）からなり、前記中間蓋部（２０）は前記中間蓋部（２０）の上端部からその下端部にかけて垂直方向に形成される一対の垂直補強リブ（２４），（２５）からなり、さらに、前記右蓋部（３０）は前記右蓋部（３０）の上端部からその下端部にかけて垂直方向に形成される一対の垂直補強リブ（３４），（３５）からなることを特徴とする果実包装紙。
【請求項４】
前記左蓋部、中間蓋部及び右蓋部のそれぞれは２〜４のウイング部からなることを特徴とする請求項１に係る果実包装紙。
【請求項５】
前記左蓋部、中間蓋部及び右蓋部のそれぞれは１つまたは２つの支持部からなることを特徴とする請求項１に係る果実包装紙。
【請求項６】
果実包装紙であって、第１蓋部（２１０）と第２蓋部（２２０）が半円球状をなし、その上端部に切り込みが入っており、第１支持部（２１２）が折れ曲がり、前記第１蓋部（２１０）の下端部に延び、第２支持部（２２２）が折れ曲がり、前記第２蓋部（２２０）の下端部に延び、さらに、接続部（２３０）が前記第１蓋部（２１０）の第１支持部（２１２）を前記第２蓋部（２２０）の第２支持部（２２２）に接続することを特徴とする果実包装紙。
【請求項７】
請求項６に係る果実包装紙であって、前記第１蓋部（２１０）は、前記第１蓋部（２１０）の上端部に形成された波曲部（２１４）と、水平補強条片（２１６）と、さらに、垂直補強条片（２１８）と、からなることを特徴とする果実包装紙。
【請求項８】
前記水平補強条片（２１６）は前記第１蓋部（２１０）の内面（２１１）に凹状をなして形成され、前記垂直補強条片（２１８）は前記第１蓋部（２１０）の外面（２１３）に凸状をなして形成されることを特徴とする請求項７に係る果実包装紙。
【請求項９】
前記第２蓋部（２２０）は前記第１蓋部（２１０）に対して対称に同じ構造で形成されることを特徴とする請求項６に係る果実包装紙。
【発明の詳細な説明】
【技術分野】
【０００１】
本発明は、リンゴ、ナシなどの果実を個別に包装する果実包装紙に関し、特に、パルプでできているため再利用が可能であり、プラスチックとは異なり、環境汚染を引き起こすことがないために環境にやさしく、その左蓋部、中間蓋部及び右蓋部が果実を包装し易い形に保たれるために果実の包装を容易にし、ウイング部が花弁状に形成されているため、消費者がウイング部相互間の開口部を介して、包装されている果実の色と新鮮さをチェックでき、ディスプレイ効果を高める果実包装紙に関するものである。
【０００２】
【背景技術】
【０００３】
韓国特許第０１８１９７７号（特許登録日１９９８年１２月１０日）には「物品包装紙」が開示されている。
【０００４】
この物品包装紙は主に発泡プラスチックを用いた軟質シートモールドからなる。物品包装紙は、包装しようとする物品の底部を受け入れる中間座部と、中間座部から斜め下方に延び、中間座部を引き上げ、中間座部が下に移動すると同時に内側に向かって相逆方向に延びる逆傾斜部と、逆傾斜部から外側に向かって半径方向に形成される保持片と、からなる。
【０００５】
しかしながら、物品包装紙は、発泡プラスチックでできているので再利用が困難であり、環境汚染を引き起こす。
【０００６】
【発明の概要】
【発明が解決しようとする課題】
【０００７】
従って、本発明は上記問題点を解決するためになされたものであり、本発明の態様は、パルプでできているため再利用が可能であり、プラスチックとは異なり、環境汚染を引き起こすことがないために環境にやさしく、その左蓋部、中間蓋部及び右蓋部が果実を包装し易い形に保たれるために果実の包装を容易にし、ウイング部が花弁状に形成されているため、消費者がウイング部相互間の開口部を介して、包装されている果実の色と新鮮さをチェックでき、ディスプレイ効果を高める果実包装紙である。
【０００８】
【課題を解決するための手段】
【０００９】
本発明の態様によれば、上記及び他の面は、左蓋部が第１接続部によって中間蓋部に接続され、前記中間蓋部が第２接続部によって右蓋部に接続され、扇状の第１支持部が折れ曲がり、前記左蓋部の下端部と一体をなし、扇状の第２支持部が折れ曲がり、前記中間蓋部の下端部と一体をなし、扇状の第３支持部が折れ曲がり、前記右蓋部の下端部と一体をなし、さらに、前記左蓋部の内面、前記中間蓋部の内面及び前記右蓋部の内面が果実を包装するように外側に向かって膨出形成されることを特徴とするパルプモールドである果実包装紙によって達成できる。
【００１０】
【発明の効果】
【００１１】
上記のように、果実包装紙は、パルプでできているために再利用が可能であり、プラスチックとは異なり、環境汚染を引き起こすことがないために環境にやさしく、その左蓋部、中間蓋部及び右蓋部が果実を包装し易い形状に保たれるために果実の包装が容易であり、消費者がウイング部相互間の開口部を介して、包装されている果実の色と新鮮さをチェックでき、ウイング部が花弁状をなすためにディスプレイ効果を高め、空気が開口部を介して包装されている果実に供給されるために追加の通気が不要である。
【００１２】
さらに、本発明の実施形態に係る果実包装紙は、接続部によって互いに接続されている第１蓋部の第１支持と第２蓋部の第２支持部とは包装に先立って互いに間隔を置くが、果実が第１及び第２支持部に載置されると、第１及び第２蓋部の上端部はその果実の重量によって自動的に縮まるため、個々の果実を容易に包装できる。
【００１３】
【図面の簡単な説明】
【００１４】
これら、あるいは他の本発明の態様及び利点は、以下の添付図面と併せて明らかとなり、より容易に理解されるであろう。
【００１５】
【図１】図１は、本発明の第１実施形態に係る果実包装紙の斜視図であり、その展開された状態の蓋部の内面を示すものである。
【００１６】
【図２】図２は、図１の果実包装紙の斜視図であり、その展開された状態の上部を示すものである。
【００１７】
【図３】図３は、図１の果実包装紙の斜視図であり、その展開された状態の外面を示すものである。
【００１８】
【図４】図４は、図１の果実包装紙の斜視図であり、その折り畳まれた状態を示すものである。
【００１９】
【図５】図５は、図１の果実包装紙のＡ−Ａ線に沿った断面図であり、果実を包装している状態を示すものである。
【００２０】
【図６】図６は、本発明の第２実施形態に係る果実包装紙の斜視図であり、その展開された状態の蓋部の内面を示すものである。
【００２１】
【図７】図７は、本発明の第３実施形態に係る果実包装紙の斜視図である。
【００２２】
【図８】図８は、図１の果実包装紙のＡ−Ａ線に沿った断面図であり、果実を包装する前の状態を示すものである。さらに、
【００２３】
【図９】図９は、果実包装紙の断面図であり、果実を包装している状態を示すものである。
【００２４】
【発明を実施するための形態】
【００２５】
以下、本発明の実施形態を、添付図面を参照して詳細に説明する。
【００２６】
図１と図２を参照すると、パルプモールドである本発明の第１実施形態に係る果実包装紙は、左蓋部１０が中第１接続部４０によって間蓋部２０に接続され、中間蓋部２０が第２接続部５０によって右蓋部３０に接続され、扇状の第１支持部６０が折れ曲がり、左蓋部の下端部１０と一体をなし、扇状の第２支持部７０が折れ曲がり、中間蓋部２０の下端部と一体をなし、扇状の第３支持部８０が折れ曲がり、右蓋部３０の下端部と一体をなし、左蓋部１０の内面１１、中間蓋部２０の内面２１及び右蓋部３０の内面３１が果実を包装するように外側に向かって膨出形成されることを特徴とする。
【００２７】
図３を参照すると、水平補強リブ１３，２３，３３が、左蓋部１０、中間蓋部２０及び右蓋部３０のそれぞれの外面１２，２２，３２の中間を交差するように形成されており、一対の垂直補強リブ１４，１５が、水平補強リブ１３に対して直角になるように、左蓋部１０の上端部からその下端部にかけて垂直方向に形成されており、一対の垂直補強リブ２４，２５が、水平補強リブ２３に対して直角になるように、中間蓋部２０の上端部からその下端部にかけて垂直方向に形成されており、さらに、一対の垂直補強リブ３４，３５が、水平補強リブ３３に対して直角になるように、右蓋部３０の上端部からその下端部にかけて垂直方向に形成されている。
【００２８】
さらに、左蓋部１０には２つのウイング部１６，１７が含まれ、中間蓋部２０には２つのウイング部２６，２７が含まれ、さらに、右蓋部３０には２つのウイング部３６，３７が含まれ、開口部１８がウイング部１６，１７相互間に形成され、開口部２８がウイング部２６，２７相互間に形成され、開口部３８がウイング部相互間３６，３７に形成される。
【００２９】
第１、第２及び第３支持部６０，７０，８０は扇状に形成され、左蓋部、中間蓋部及び右蓋部を丸めて果実を包装すると、第１、第２及び第３支持部６０，７０，８０は円状をなしてその果実を支持する。
【００３０】
本発明の実施形態に係る果実包装紙はパルプで形成されていて容易に使用でき、容易に自然分解され、その結果、プラスチックとは異なり、環境汚染問題を防止する。図４と図５で説明したように、左蓋部１０、中間蓋部２０及び右蓋部３０を丸めて円形として果実１００を包装すると、第１、第２及び第３支持部６０，７０，８０は果実１００を支持する。果実１００の重量による力が第１、第２及び第３支持部６０，７０，８０にかかると、果実１００を包装する左蓋部１０、中間蓋部２０及び右蓋部３０の果実包装の形状は保たれる。それ故、果実の包装作業が簡単になり、包装後に消費者が、ウイング部１６，１７，２６及び２７，３６，３７相互間の開口部１８，２８，３８を介して果実１００の色と新鮮さをチェックでき、空気が開口部１８，２８，３８を介して包装されている果実１００に供給されるので、追加の通気が不要である。各一対のウイング部１６，１７と２６，２７と３６，３７とはディスプレイ効果を高めるように花弁状をなす。
【００３１】
図６を参照すると、本発明の第２実施形態に係る果実包装紙は、第１実施形態に係る果実包装紙と同じであるが、３つのウイング部１１１，１１２，１１３が左蓋部１１０に形成されている点、２つの支持部１１４，１１５が左蓋部１１０の下端部に接続するように形成されている点、３つのウイング部１２１，１２２，１２３が中間蓋部１２０に形成されている点、３つのウイング部１３１，１３２，１３３が右蓋部１３０に形成されている点、２つの支持部１２４，１２５と２つの支持部１３４，１３５とが形成されている点、においては異なっている。
【００３２】
さらに、本発明に係る果実包装紙には、４つのウイング部を左蓋部、中間蓋部及び右蓋部のそれぞれに形成してもよい。
【００３３】
ウイング部の数と支持部の数は、包装しようとする果実のサイズに応じてさまざまに変えて適宜選択してもよい。
【００３４】
図７〜図９を参照すると、本発明の第３実施形態に係る果実包装紙は、それぞれが半円球状をなし、その上端部に切り込みが入っている第１蓋部２１０及び第２蓋部２２０と、折れ曲がり、第１蓋部２１０の下端部に延びる第１支持部２１２と、折れ曲がり、第２蓋部２２０の下端部に延びる第２支持部２２２と、第１蓋部２１０の第１支持部２１２を第２蓋部２２０の第２支持部２２２に接続する接続部２３０と、からなる。
【００３５】
波曲部２１４が第１蓋部２１０の上端部に形成され、水平補強条片２１６と垂直補強条片２１８が形成されている。
【００３６】
水平補強条片２１６は第１蓋部２１０の内面２１１に凹状をなして形成され、垂直補強条片２１８は第１蓋部２１０の外面２１３に凸状をなして形成される。
【００３７】
第２蓋部２２０は第１蓋部２１０に対して対称に同じ構造で形成される。
【００３８】
接続部２１０は、第１蓋部２１０と第２蓋部２２０と同様にパルプ材でできている。
【００３９】
本発明の第３実施形態に係る果実包装紙は以下の通りに操作される。
【００４０】
図８で説明したように、果実２４０の包装前に、第１蓋部２１０の上端部は接続部２３０によって第２蓋部２２０の上端部から間隔を置くので、果実２４０を容易に包装紙に入れることができるようになっているが、図９で説明したように、果実２４０が第１及び第２支持部２１２，２２２に載置されると、第１蓋部２１０の上端部と第２蓋部２２０の上端部間の空間は果実２４０の重量によって自動的に縮まり、その結果、果実２４０を個別に包装することを容易にする。
【００４１】
【図１】
2010504891.tif 000003
【図２】
2010504891.tif 000004
【図３】
2010504891.tif 000005
【図４】
2010504891.tif 000006
【図５】
2010504891.tif 000007
【図６】
2010504891.tif 000008
【図７】
2010504891.tif 000009
【図８】
2010504891.tif 000010
【図９】
2010504891.tif 000011
【国際調査報告】
2010504891.tif 000012
2010504891.tif 000013